(57)【特許請求の範囲】
【請求項１】
スプレー容器に配設され、倒立状態でも正立状態でも容器本体内の液状物を吸引してノズル部材に供給する吸引パイプ装置であって、
該吸引パイプ装置は、パイプと、該パイプの上端部に装着された液供給用逆止弁とからなり、
該液供給用逆止弁は、二つの管路と、該二つの管路を集合させる管路を有し、
上記二つの管路のうちの一方の管路は弁室を有しており、該弁室の内部にはボール弁体が配設されていると共に、該弁室の側面には容器本体内と通じる通液孔が形成されており、該弁室の天面にはインテイクへの外気導入孔と通じる外気導入孔が形成されており、
該弁室の外気導入孔と上記インテイクへの外気導入孔との間には、上記インテイクへの外気導入孔の下方に配置されると共に底面部に外気導入孔が形成された凹所を有する室部分が介在しており、
スプレー容器の正立状態においては、上記ボール弁体によって弁室が閉塞されると共に、上記パイプの下端部から液状物が前記液供給用逆止弁内に吸引されてノズル部材に供給され、
スプレー容器の倒立状態においては、前記通液孔を通して当該液供給用逆止弁内に液状物が吸引され、上記ボール弁体によって上記弁室の外気導入孔を閉じると共に、上記容器本体内の液状物の液圧で液状物の逆流を防ぎ、
且つ上記インテイクへの外気導入孔と上記凹所の外気導入孔と上記弁室の外気導入孔及び通液孔を通じて外気が容器本体内に流入して、容器本体の変形が防止されることを特徴とする吸引パイプ装置。
【請求項２】
上記インテイクの外気導入孔には外気導入用逆止弁が設けられており、スプレー容器の倒立状態において、上記外気導入用逆止弁と上記ボール弁体は、外気を流入できる程度に開いて各外気導入孔を通じた液状物の洩れを押さえつつ、容器本体の変形を防止する請求項１記載の吸引パイプ装置。
【発明の詳細な説明】
【技術分野】
【０００１】
本発明は、住宅用洗剤等の液状物を倒立状態でも噴出することができるスプレー容器の吸引パイプ装置に関する。
【背景技術】
【０００２】
周知のように、容器本体の口部にトリガー式スプレイヤーが装着されたスプレー容器（トリガー式スプレー容器）には、トリガーを引いて、シリンダー内の空気を外に排出し、トリガーを戻した際に液状物内に浸したパイプを通じて該液状物が吸引され、上記シリンダー内に液状物を満たし、再びトリガーを引くことにより、該シリンダー内の液状物を押し出して垂直管路に導き、更に水平管路、スピンエレメントを通じて最後にノズルから噴出するタイプのものがある（例えば、特許文献１参照）。
【０００３】
斯るスプレー容器は、衣料用仕上げ剤、衣料用糊剤、住宅用洗剤等の液状物を充填する容器として幅広く使用されている。
【特許文献１】実開平１−６９６５８号公報
【発明の開示】
【発明が解決しようとする課題】
【０００４】
ところで、上記のような従来のスプレー容器は、通常、正立状態での使用を想定して作製されており、倒立状態で使用すると、エア置換用の通気孔を通じて液状物が漏れ出してしまうため、斯る倒立状態での使用は不可能であった。従って、バスタブやトイレ等の手前側に洗剤を噴出する場合には、手首を返した状態で噴出しなければならず、非常に使い辛かった。
【０００５】
本発明の目的は、正立状態でも倒立状態でも容器本体内に充填された液状物を好適に噴出することができるスプレー容器に配設される吸引パイプ装置を提供することにある。
【課題を解決するための手段】
【０００６】
本発明は、スプレー容器に配設され、倒立状態でも正立状態でも容器本体内の液状物を吸引してノズル部材に供給する吸引パイプ装置であって、該吸引パイプ装置は、パイプと、該パイプの上端部に装着された液供給用逆止弁とからなり、該液供給用逆止弁は、二つの管路と、該二つの管路を集合させる管路を有し、上記二つの管路のうちの一方の管路は弁室を有しており、該弁室の内部にはボール弁体が配設されていると共に、該弁室の側面には容器本体内と通じる通液孔が形成されており、該弁室の天面にはインテイクへの外気導入孔と通じる外気導入孔が形成されており、該弁室の外気導入孔と上記インテイクへの外気導入孔との間には、上記インテイクへの外気導入孔の下方に配置されると共に底面部に外気導入孔が形成された凹所を有する室部分が介在しており、スプレー容器の正立状態においては、上記ボール弁体によって弁室が閉塞されると共に、上記パイプの下端部から液状物が前記液供給用逆止弁内に吸引されてノズル部材に供給され、スプレー容器の倒立状態においては、前記通液孔を通して当該液供給用逆止弁内に液状物が吸引され、上記ボール弁体によって上記弁室の外気導入孔を閉じると共に、上記容器本体内の液状物の液圧で液状物の逆流を防ぎ、且つ上記インテイクへの外気導入孔と上記凹所の外気導入孔と上記弁室の外気導入孔及び通液孔を通じて外気が容器本体内に流入して、容器本体の変形が防止されることを特徴とする吸引パイプ装置を提供することにより、上記目的を達成したものである。
【０００７】
本発明の吸引パイプ装置が配設されるスプレー容器においては、スプレー容器が正立状態でも倒立状態でも、外気導入用逆止弁やボール弁体によって外気の流入は遮断されるため、液状物の漏れは確実に抑えられている。この状態でトリガーを操作すると、該容器本体内の液状物が、該容器本体内から液状物を吸引する吸引パイプ装置を通じて垂直管路に供給される。そして、更にトリガーを操作すると、水平管路を通じて液状物が外部に噴出される。トリガーの操作に伴って上記容器本体内が負圧となったときには、外気導入用逆止弁ややボール弁体が開き、容器本体内に外気が流入するので、容器本体の変形が抑えられる。また、上記液供給用逆止弁には、上記容器本体内に連通する通液孔が設けられており、当該スプレー容器の倒立状態においては、液供給用逆止弁内に液状物が満たされるので、上記容器本体内の液状物の液圧によって、トリガー操作の際における上記垂直管路内からの液状物の逆流が防止される。
【発明の効果】
【０００８】
本発明に係るスプレー容器の吸引パイプ装置によれば、正立状態でも倒立状態でも容器本体内に充填された液状物を好適に噴出することができる。また、吸引パイプ装置の構成が複雑にならずに済むので、組立も簡単で、低コストの容器を提供することができる。
【発明を実施するための最良の形態】
【０００９】
以下、本発明の実施の形態を添付図面を参照しながら詳細に説明する。
【００１０】
図１〜図３は、本発明に係る吸引パイプ装置が配設されたスプレー容器の一実施形態を示したものである。図において、符号１はスプレー容器を示している。
【００１１】
図１に示したように、上記スプレー容器１は、液状物を充填する有底の容器本体２の口部に、上記液状物を噴出するトリガースプレイヤー（以下、単に「スプレイヤー」という）３が装着されて構成されている。
【００１２】
上記スプレイヤー３は、水平管路４及びこの水平管路４に連通する垂直管路５を内部に有したスプレイヤー本体６と、スプレイヤー本体６に回動自在に装着されたトリガー７と、上記水平管路４の前方部に装着されたスピンエレメント８と、スピンエレメント８の前方部に装着されたノズル部材９と、上記垂直管路５に装着されたインテイク１０とを備えている。
【００１３】
上記スプレイヤー本体６の上記水平管路４の下方部には、上記トリガー７によって作動するピストン・シリンダー機構１２が配設されている。
【００１４】
また、上記インテイク１０には、正立状態でも倒立状態でも、外気導入路６ａからの外気の流入を遮断し、上記トリガー７を引いて上記容器本体２内が負圧となったときに上記外気導入孔６ａを通じて上記容器本体２内に外気を流入させる外気導入用逆止弁１３が配設されており、また、インテイク１０には上記容器本体２内から液状物を吸引する吸引パイプ装置２７が配設されている。
【００１５】
図２（ａ）及び（ｂ）に示したように、上記外気導入用逆止弁１３の弁体１３０は、３つの突出部を有するリング部１３１と、このリング部１３１の内側に配設された３つの突出部を有するディスク部１３２と、これらリング部１３１及びディスク部１３２をそれぞれの突出部どうしで連結する、３本の可撓性を有する弧状の連結体１３３とで一体的に構成されたプラスチックス製の成形品である。そして、上記ディスク部１３２に所定以上の圧力が負荷されたときに、上記連結体１３３が撓むことによって、上記ディスク部１３２が上記外気導入孔６ａの下方において上下動し、逆止弁として機能するようになしてある。なお本実施形態において、上記弁体１３０のリング部１３１は、後述するインテイク１０の嵌着壁部１０ｃの天板部と、筒状壁部１２ａとの間に挟持されて固定されている。
【００１６】
本実施形態のスプレー容器１において、上記吸引パイプ装置２７は、パイプ１１と、パイプ１１の上端部に装着された液供給用逆止弁１４とから構成されている。この液供給用逆止弁１４は、上記スプレイヤ容器１の正立状態において上記トリガー７を操作したときに上記垂直管路５に液状物を供給するするとともに、上記スプレイヤー容器１の倒立状態において上記トリガー７を操作したときに上記垂直管路５に液状物を供給する弁である。ここで、本発明における吸引パイプ装置とは、スプレー容器の正立、倒立に依らずスプレイヤー本体に液を供給するために、液状物がパイプを通してスプレイヤー本体６の垂直管路５に流路を形成するものをいう。
【００１７】
上記スプレー容器１を更に詳しく説明すると、上記スプレイヤー本体６の前方部であって、上記水平管路４の先端部には、挿嵌部４ａが設けられており、この挿嵌部４ａに、上記スピンエレメント８が嵌着されている。そして、このスピンエレメント８の先端部に、ノズルチップ９ａを備えた上記ノズル部材９が嵌着されている。
【００１８】
上記水平管路４の下方位置には、上記ピストン・シリンダー機構１２のシリンダーＳを構成する二重の筒状壁部１２ａ、１２ｂが設けられており、この筒状壁部１２ａの下方に、容器本体２内に外気を流入させる上記外気導入孔６ａが形成されている。
【００１９】
上記筒状壁部１２ａ、１２ｂで構成されるシリンダーＳ内には、ピストン・シリンダー機構１２のピストンＰを構成するピストン部材１５がコイルバネ１６を介して配設されている。上記ピストン部材１５の摺動部１５ａは、トリガー７を引いていない状態では、上記外気導入孔６ａを塞いでいる。
【００２０】
上記トリガー７は、上記スプレイヤー本体６の側壁部内側に回動自在に嵌着されている。このトリガー７の背面部には、上記ピストン部材１５の前端部に当接する押圧突起７ａが設けられており、トリガー７を回動操作することによって、ピストン部材１５が上記シリンダーＳ内を往復摺動できるようになしてある。
【００２１】
一方、上記スプレイヤー本体６の下方部には、上記垂直管路５の下端部を囲繞する二重の挿嵌壁部１７、１８が設けられており、これら挿嵌壁部１７、１８及び垂直管路５内に、上記インテイク１０が嵌着されている。
【００２２】
上記インテイク１０は、基板部１０ｂを境として、上方部に、上記挿嵌壁部１８に嵌着される嵌着壁部１０ｃと、上記垂直管路５及び上記挿嵌壁部１７に嵌着される管部１０ｄとを備えており、また、下方部に、上記管部１０ｄに連通する管部１０ｅを備えている。上記挿嵌壁部１０ｃの天板部には、スプレイヤー本体６からインテイク１０への外気導入孔６ａの下方に配置されて、凹所が形成されており、この凹所の開口縁部において、上記弁体１３０の上記リング部１３ａを挟持するようになしてある。また、この凹所の底面部には、外気導入孔１０ａが形成されており、容器本体２内が負圧になったときに、上記外気導入孔６ａ、上記外気導入用逆止弁１３、さらこの外気導入孔１０ａを通じて、外気が当該容器本体２内に流入するようになしてある。そして、後述する弁室の外気導入孔２５ｅと上記インテイク１０への外気導入孔６ａとの間には、上記外気導入孔１０ａが形成された凹所を有する室部分が介在している。
【００２３】
上記管部１０ｄには、上記水平管路４及び上記シリンダーＳ内に連通する連通孔１０ｆ、１０ｇがそれぞれ形成されている。また、管部１０ｄの内部の上方には、バルブ２０が配設されている。このバルブ２０は、そのフランジ部２０ａが支持壁部１０ｈで支持されており、水平管路４からの液状物の逆流を防ぐとともに、支持壁部１０ｈの下方における液圧が所望の圧力に高まったときに管部１０ｄ内と上記水平管路４とを連通させて該水平管路４に液状物を供給するようになしてある。バルブ２０の下方には、ボール弁体２１が配設されている。このボール弁体２１は、管部１０ｄ内に張り出した支持壁部１０ｉで支持されており、上記シリンダーＳ内からの液状物の逆流を防ぐとともに、支持壁部１０ｉの下方における液圧が所望の圧力に高まったときに液状物が上方に供給されるようになしてある。
【００２４】
インテイク１０の上方には、上下方向の挿通孔を有するキャップ体２２が装着されており、このキャップ体２２の雌ねじ２２ａと、容器本体２の口部外周の雄ねじ（図示せず）とを螺合させることによって、上記スプレイヤー３を容器本体２に装着できるようになしてある。なお、キャップ体２２の内面と容器本体２の口部の上端との間には液洩れを防止するパッキン２３が介装されている。
【００２５】
上記液供給用逆止弁１４は、二つ管路２４ａ、２４ｂを有する筒状部材２４と、上記管路２４ａ、２４ｂにそれぞれ連通する管路２５ａ、２５ｂを有する筒状部材２５と、上記管路２５ａ、２５ｂを集合させる管路２６ａを有する漏斗状部材２６を主体として構成されている。
【００２６】
上記筒状部材２４は、上記インテイク１０の筒状壁部１０ｅに嵌着されており、また、上記漏斗状部材２６の下端部に上記パイプ１１の先端部が嵌着されている。
【００２７】
筒状部材２４及び２５の互いに連通する管路２４ａ、２５ａは、弁室を形成しており、その内部にはボール弁体２５ｃが配設されている。また、上記弁室の側面には、通液孔２５ｄが形成されており、当該スプレー容器１の倒立状態においては、この通液孔２５ｄから液状物が吸引されるようになしてある。そして、この通液孔２５ｄを通して当該液供給用逆止弁１４内に液状物が吸引されることによって、容器本体２内の液圧で、スプレー容器１の倒立状態におけるトリガー７の操作時における上記垂直管路５からの液状物の逆流を防止できるようになしてある。さらに、上記弁室の天面には、上記インテイク１０への外気導入孔６ａ及び上記凹所の外気導入孔１０ａと通じる外気導入孔２５ｅが形成されている。
【００２８】
本第１実施形態のスプレー容器１において、上記吸引パイプ装置２７の上記液供給用逆止弁１４内の容積Ｖ（図１参照）は、トリガー７の一回の操作による液状物の噴出量（上記シリンダーＳの容積）よりも大きく設定されており、これによって、安定した噴出が可能となしてある。
【００２９】
上記スプレー容器１は、正立状態のときには、図１に示したように、上記外気導入用逆止弁１３によって上記外気導入孔６ａを通じての外気の流入は遮断されている。この状態で上記トリガー７を操作すると、上記ピストン・シリンダー機構１２が作動して上記垂直管路５内が次第に負圧となり、上記ボール弁体２５ｃによって管路２５ａが閉塞されるとともに、上記パイプ１１の下端部から液状物が吸引され、インテイク１０の管部１０ｄに供給される（図中矢印Ｘ）。更にトリガー７を操作すると、上記垂直管路５、上記水平管路４、上記スピンエレメント８及び上記ノズル部材９を通じて液状物が外部に噴出される。上記トリガー７の操作に伴って上記ピストン部材１５の摺動部１５ａが上記外気導入孔６ａより後方に移動すると、外気導入用逆止弁１３が開き、上記外気導入孔６ａ、外気導入孔１０ａ、外気導入孔２５ｅ、及び通液孔２５ｄを通じて外気が容器本体２内に流入するので、容器本体２の変形が抑えられる。
【００３０】
当該スプレー容器１は、倒立状態のときには、図３に示したように、上記外気導入用逆止弁１３によって上記外気導入孔６ａを通じた容器本体２内への外気の流入が遮断されており、この状態では、上記外気導入孔６ａからの液状物の漏れは確実に抑えられている。また、ボール弁体２５ｃは弁室の外気導入孔２５ｅを閉じている。従って、この状態で上記トリガー７を操作すると、上記ピストン・シリンダー機構１２が作動し、上記垂直管路５内が負圧となって、上記通液孔２５ｄから液状物が吸引され、インテイク１０の管部１０ｄに供給される（図中矢印Ｙ）。この際、垂直管路５からの逆流は、当該容器本体２内の液状物の液圧によって抑えられるので、液供給用逆止弁１４には、上記ボール弁体２５ｃで閉塞される弁のみを設けるだけで済む。そして、更にトリガー７を操作すると、上記垂直管路５、上記水平管路４、上記スピンエレメント８及び上記ノズル部材９を通じて液状物が外部に噴出される。上記トリガー７の操作に伴って上記ピストン部材１５の摺動部１５ａが上記外気導入孔６ａより後方に移動すると、外気導入用逆止弁１３が開いて、上記外気導入孔６ａ、外気導入孔１０ａ、外気導入孔２５ｅ、及び通液孔２５ｄを通じて外気が容器本体２内に流入するので、容器本体２の変形が抑えられる。また、この際、上記外気導入用逆止弁１３と上記ボール弁体２５ｃは、外気を流入できる程度にしか開かないため、上記外気導入孔６ａを通じた液状物の洩れは確実に抑えられる。
【００３１】
このように、上記スプレー容器１によれば、当該スプレー容器１が正立状態でも倒立状態でも容器本体２内に充填された液状物を好適に噴出することができる。
【００３２】
また、上記実施形態のスプレー容器１は、液供給用逆止弁１４が、上記スプレー容器の正立状態においては、上記パイプ１１の先端部から液状物を吸引可能で、また、上記スプレー容器の倒立状態においては、該液供給用逆止弁１４に設けた連通孔２５ｄを通じて液状物を吸引可能で且つ上記容器本体２内の液状物の液圧で上記垂直管路５内からの液状物の逆流を防ぐように設けられており、吸引パイプ装置２７の構成が複雑にならずに済むので、組立も簡単で、低コストの容器を提供することができる。
【００３３】
本発明に係る吸引パイプ装置が配設されるスプレー容器は、上記各実施形態のスプレー容器に限定されるものではなく、本発明の目的を逸脱しない範囲において、その寸法、形状等を適宜変更することができる。
【００３４】
例えば、上記実施形態のスプレー容器１においては、上記液供給用逆止弁１４をインテイク１０に装着させるとともに当該液供給用逆止弁装置１４の下端部にパイプ１１を装着したが、パイプ１１をインテイクに装着させておき、当該パイプ１１の長さ方向中間部に上記液供給用逆止弁１４を介装させても良い。
【００３５】
また、上記実施形態のスプレー容器１においては、外気導入用逆止弁１３を、インテイク１０に設けた嵌着壁部１０ｃの凹所の開口縁部及びピストン・シリンダー機構１２の筒状壁部１２ａによって、上記弁体１３０のリング部１３１を挟持固定して設けたが、図４（ａ）〜（ｅ）に示す実施形態のように、筒状壁部１２ａに上記弁体１３０のリング部１３１に対応した筒状壁部１２ｃを設け、該筒状壁部１２ｃにインテイクとは別体の部材１３４を嵌着させ、該部材１３４と上記筒状壁部１２ａとで、当該弁体１３０のリング部１３１を挟持固定するように設けても良い。
【図面の簡単な説明】
【００３６】
【図１】本発明に係る吸引パイプ装置が配設されるスプレー容器の一実施形態の正立状態を示す要部側断面図である。
【図２】同実施形態のスプレー容器の外気導入用逆止弁の弁体を示す図であり、（ａ）は半断面図、（ｂ）は平面図である。
【図３】同実施形態のスプレー容器の倒立状態を示す要部側断面図である。
【図４】本発明に係る吸引パイプ装置が配設されるスプレー容器の外気導入弁の他の形態を示す図であり、（ａ）は、外気導入弁の他の実施形態を示す要部側断面図、（ｂ）は、外気導入弁の他の実施形態を示す要部側断面図、（ｃ）は、外気導入弁の他の実施形態を示す要部側断面図、（ｄ）は、外気導入弁の他の実施形態を示す要部側断面図、（ｅ）は、外気導入弁の他の実施形態を示す要部側断面図である。
【符号の説明】
【００３７】
１  スプレー容器
２  容器本体
３  トリガースプレイヤー
４  水平管路
５  垂直管路
６  スプレイヤー本体
６ａ  外気導入孔
７  トリガー
９  ノズル部材
１０  インテイク
１１  パイプ
１２  ピストン・シリンダー機構
１３  外気導入用逆止弁
１４  液供給用逆止弁
２４ａ，２５ａ  一方の管路
２４ｂ，２５ｂ  管路
２５ｄ  通液孔
２６ａ  集合させる管路
２７  吸引パイプ装置
【図２】
0003722826.tif 000002
【図４】
0003722826.tif 000003
【図１】
0003722826.tif 000004
【図３】
0003722826.tif 000005